【手続補正書】
【提出日】平成26年2月24日(2014.2.24)
【手続補正１】
【補正対象書類名】明細書
【補正対象項目名】０００８
【補正方法】変更
【補正の内容】
【０００８】
また、送信信号供給回路２１が位相シフト方式や符号多重方式のものであれば、演算処理回路３３は、送信信号供給回路２１から各送信導体１１Ｙ１、１１Ｙ２、…に供給された符号に対応した符号を用いた相関演算を行うことにより、目的とする符号に対応した相関演算値を算出する。位置検出回路３４は制御部４０の制御に応じて動作して、算出された相関演算値に基づいて、指示体による指示位置が検出される。
【手続補正２】
【補正対象書類名】明細書
【補正対象項目名】００１２
【補正方法】変更
【補正の内容】
【００１２】
そして、図１２に示すように、ユーザＵＡ、ＵＢのそれぞれが一方の手の指をディスプレイユニットＴ２００の表示画面上の透明電極層４５０に接触させると共に、他方の手の指を自己の近くの電極ＥＡ、ＥＢに接触させる。この場合、透明導電層４５０に接続された送信機からの信号が、当該透明導電層４５０及びユーザＵＡ、ＵＢの身体を通じて、電極ＥＡ、ＥＢに供給され、さらに電極ＥＡ、ＥＢのそれぞれに接続された受信機に供給される。
【手続補正３】
【補正対象書類名】明細書
【補正対象項目名】００１３
【補正方法】変更
【補正の内容】
【００１３】
これにより、電極ＥＡ〜ＥＤのそれぞれ毎に予めユーザを割り当てておくことにより、電極ＥＡ〜ＥＢのそれぞれに接続された受信機の受信結果に基づいて、どのユーザがディスプレイユニットの表示画面上の透明電極層４５０に指等を接触させているのかを検知することができる。さらに、接触検出エレメント４２０を通じて、接触検出エレメント上のユーザの接触位置をも検出することができる。
【手続補正４】
【補正対象書類名】明細書
【補正対象項目名】００１４
【補正方法】変更
【補正の内容】
【００１４】
また、これとは逆の構成とすることもできる。すなわち、電極ＥＡ〜ＥＤのそれぞれ毎に異なる信号を発生させる送信機を接続し、透明導電層４５０には、受信機を接続しておくようにする。そして、図１２に示したように、ユーザＵＡ、ＵＢのそれぞれが一方の手の指を自己の近くの電極ＥＡ、ＥＢに接触させると共に、他方の手の指をディスプレイユニットＴ２００の表示画面上の透明電極層４５０に接触させる。この場合、電極ＥＡに接続された送信機からの信号が、ユーザＵＡの身体を通じて透明導電層４５０に供給され、さらに透明導電層を通じて受信機に供給される。同様に、電極ＥＢに接続された送信機からの信号が、ユーザＵＢの身体を通じて透明導電層４５０に供給され、さらに透明導電層を通じて受信機に供給される。
【手続補正５】
【補正対象書類名】明細書
【補正対象項目名】００１５
【補正方法】変更
【補正の内容】
【００１５】
これにより、この場合には、接触検出エレメント４２０を通じて、ユーザＵＡ、ＵＢの接触位置を検出することができる。そして、各電極ＥＡ〜ＥＤのそれぞれに接続された送信機毎に予めユーザを割り当てておくことにより、透明導電層４５０を通じて受信機が受信した信号に応じて、どのユーザがディスプレイユニットの表示画面上の透明電極層４５０に指等を接触させているのかを検知することができるようにされる。
【手続補正６】
【補正対象書類名】明細書
【補正対象項目名】００１８
【補正方法】変更
【補正の内容】
【００１８】
このためには、まず、複数のユーザが複数の指示体を用いて同時にタッチパネル等の指示体検出装置のセンサ部上の位置を指示するようにした場合に、ユーザ毎にその指示位置のそれぞれを把握できるようにすることが望まれる。さらに、ユーザ毎であって指示位置毎に、表示させる情報を制御できるなどのことも望まれる。
【手続補正７】
【補正対象書類名】明細書
【補正対象項目名】００２４
【補正方法】変更
【補正の内容】
【００２４】
上記課題を解決するため、本発明の第１の実施の形態によるに記載の発明のマルチタッチ・マルチユーザ検出装置は、
第１の方向に配置された複数の第１の導体と、前記第１の方向に対して交差する第２の方向に配置された複数の第２の導体からなるセンサ導体と、
前記第１の方向に配置された複数の第１の導体に所定の信号を供給するための信号送信回路と、
前記第２の方向に配置された複数の第２の導体からの信号を受信する信号受信回路と、
前記信号受信回路から出力された信号に基づいて、前記センサ導体に対して複数の指示体が指示する位置を検出する指示位置検出回路と、
前記センサ導体からの信号を受信し、前記信号送信回路によって前記第１の方向に配置された複数の第１の導体に供給される信号とは識別可能な指示体識別情報を検出する第１の指示体識別情報検出回路と、
前記指示位置検出回路から出力された位置情報と前記第１の指示体識別情報検出回路から出力された指示体識別情報に基づいて、複数の指示体によって指示された位置がいずれの指示体による指示であるかの対応関係を特定するための対応関係特定回路、
を備えることで、
前記センサ導体に対して前記複数の指示体が指示するそれぞれの位置と前記複数の指示体との対応関係が特定できるようにしたことを特徴とする。
【手続補正８】
【補正対象書類名】明細書
【補正対象項目名】００２５
【補正方法】変更
【補正の内容】
【００２５】
この本発明の第１の実施の形態によるマルチタッチ・マルチユーザ検出装置によれば、センサ導体は、複数の第１の導体と複数の第２の導体とが交差するように配置され、複数の第１の導体と複数の第２の導体とにより複数の交差点（クロスポイント）が形成される。複数の第１の導体と複数の第２の導体とは静電結合しており、複数の第１の導体に信号送信回路からの所定の信号が供給されると、これに応じて第２の導体に信号が誘起され、この信号が信号受信回路で受信される。
【手続補正９】
【補正対象書類名】明細書
【補正対象項目名】００２７
【補正方法】変更
【補正の内容】
【００２７】
これにより、複数の指示体によって指示されたそれぞれの位置の検出（マルチタッチの検出）と、各指示体を用いたユーザの検出（マルチユーザの検出）との両方を、複雑な処理を行うことなく、簡単かつ精度よく行うことができるようにされる。
【手続補正１０】
【補正対象書類名】明細書
【補正対象項目名】００４５
【補正方法】変更
【補正の内容】
【００４５】
センサ部１００は、図１１に示した従来のクロスポイント型静電結合方式の指示体検出装置のセンサ部１００と同様に構成される部分である。すなわち、センサ部１００は、送信部２００に接続される複数の第１の導体と、受信部３００Ａに接続される複数の第２の導体とを備える。以下の説明では、例えば６４本の送信導体１１Ｙ１〜１１Ｙ６４からなる第１の導体が送信導体であり、送信導体群１１を構成する。また、例えば、６４本の受信導体１２Ｘ１〜１２Ｘ６４からなる第２の導体は、受信導体であり、受信導体群１２を構成する。なお、送信導体群１１を構成する送信導体の本数、受信導体群１２を構成する受信導体の本数、配列間隔等は、指示入力画面１００Ｓのサイズなど、実施の態様に応じて適宜設定される。
【手続補正１１】
【補正対象書類名】明細書
【補正対象項目名】００６４
【補正方法】変更
【補正の内容】
【００６４】
このように、指示位置識別フィルタ３３２は、指示入力面１００Ｓ上のどのクロスポイントに対して指示体により指示操作が行われているのかを示す情報を出力することができるようにされる。
【手続補正１２】
【補正対象書類名】明細書
【補正対象項目名】００６５
【補正方法】変更
【補正の内容】
【００６５】
そして、受信部３００Ａの位置検出回路３４Ａは、ユーザＩＤ識別フィルタ３３１からの、どの受信導体に対してどのユーザが指示体を用いて指示入力を行っているのかを示す情報の提供を受ける。また、位置検出回路３４Ａは、指示位置識別フィルタ３３２から、指示入力面１００Ｓ上のどのクロスポイントに対して指示体により指示操作が行われているのかを示す情報の提供を受ける。
【手続補正１３】
【補正対象書類名】明細書
【補正対象項目名】００６７
【補正方法】変更
【補正の内容】
【００６７】
具体的には、例えば、図２に示したように、センサ部１００上の受信導体１２Ｘ６と送信導体１１Ｙ６１とが交差するクロスポイントに、ユーザＡが指（指示体）を接触させていたとする。この場合、上述した指示位置識別フィルタ３３２の機能により、受信導体１２Ｘ６と送信導体１１Ｙ６１とが交差するクロスポイントが指示体により指示されていることが識別される。同時に、上述したユーザＩＤ識別フィルタ３３１の機能により、受信導体１２Ｘ６をユーザＡが指示体により指示していることが識別される。これらの識別結果は受信導体１２Ｘにより対応付け（紐付け）することができる。
【手続補正１４】
【補正対象書類名】明細書
【補正対象項目名】００６８
【補正方法】変更
【補正の内容】
【００６８】
したがって、この例の場合、位置検出回路３４Ａは、指示体の指示位置を示す２次元座標データ（受信導体１２Ｘ６、送信導体１１Ｙ６１）と、ユーザ識別情報（ユーザＡのユーザＩＤ）とを対応付けた、例えば、（受信導体１２Ｘ６、送信導体１１Ｙ６１、ユーザＡ）という情報を形成して出力する。そして、複数のユーザが、両方の手の５本の指の全てを指示体として用いて、センサ部１００に対して指示操作を行っても、ユーザ及び位置識別回路３３Ａの機能により、指示体毎に、その指示位置（クロスポイント）と、その指示体を使用したユーザとを把握することができる。このため、位置検出回路３４Ａは、指示体毎に、指示体の指示位置を示す２次元座標データと、ユーザ識別情報とを対応付けた情報を形成して出力することができる。また、ユーザＢの指がセンサ部１００上の位置を指示していた場合にも、同様にして、指示体の指示位置を示す２次元座標データと、ユーザ識別情報とを対応付けた情報を出力することができる。
【手続補正１５】
【補正対象書類名】明細書
【補正対象項目名】００７０
【補正方法】変更
【補正の内容】
【００７０】
［マルチタッチ・マルチユーザ検出装置１を有する情報処理装置の利用態様］
次に、この実施の形態のマルチタッチ・マルチユーザ検出装置１が用いられて形成された図１に示した情報処理装置の利用態様について具体的に説明する。
【手続補正１６】
【補正対象書類名】明細書
【補正対象項目名】００７２
【補正方法】変更
【補正の内容】
【００７２】
そして、図４に示すように、ユーザＡ、Ｂのそれぞれが、所定の四角形の対角線上の２点を指示するように、指示入力面１００Ｓに対して自己の両手を接触あるいは近接させるようにしたとする。マルチタッチ・マルチユーザ検出装置１は、上述したように、マルチタッチの検出とマルチユーザの検出とを行って、その検出出力を表示制御装置４に対して供給する。
【手続補正１７】
【補正対象書類名】明細書
【補正対象項目名】００７４
【補正方法】変更
【補正の内容】
【００７４】
図４に示した例の場合には、マルチタッチ・マルチユーザ検出装置１の指示入力面１００Ｓの左側にユーザＡが指定したユーザ操作領域ＡｒＡが設定され、指示入力面１００Ｓの右側にユーザＢが指定したユーザ操作領域ＡｒＢが設定された場合を示している。そして、ユーザ操作領域に対しては、ユーザが指示体を用いて直接に文字、記号、絵、図形などを描くようにすることにより、表示制御装置４が当該入力情報を認識する。そして、表示制御装置４は、認識した入力情報を入力操作が行われた当該ユーザ操作領域に一致するディスプレイ装置３の表示画面の表示領域に表示することができる。
【手続補正１８】
【補正対象書類名】明細書
【補正対象項目名】００７５
【補正方法】変更
【補正の内容】
【００７５】
また、情報の別の入力方法として、いわゆるソフトウェアキーボードなどの表示情報を通じて行う方法がある。具体的には、表示制御装置４の制御により、ユーザ操作領域に対して、数字キー、アルファベットキー（５０音文字キー）、記号キー等からなるソフトウェアキーボードを表示し、当該ソフトウェアキーボードに対して、ユーザが指示体を通じて指示操作を行う。そして、表示制御装置４が、ユーザが指示した位置に対応するソフトウェアキーボードの表示情報を認識することにより、ユーザによって指示された文字等の情報の入力を受け付けることができるようにされる。この場合にも、表示制御装置４は、認識した入力情報を入力操作が行われた当該ユーザ操作領域に一致するディスプレイ装置３の表示画面の表示領域の所定の位置に表示することができる。
【手続補正１９】
【補正対象書類名】明細書
【補正対象項目名】００７８
【補正方法】変更
【補正の内容】
【００７８】
また、ユーザは自己のユーザ操作領域の対角線上の２点を、両手を用いて指示し、狭めたり、広げたりする操作を行うことによって、ユーザ操作領域の大きさを調整することができる。また、ユーザは、自己のユーザ操作領域内に指を接触させて、その指の接触状態を維持したまま指を引きずるようにするいわゆるドラッグ操作を行うことによって、指示入力面１００Ｓ上において当該ユーザ操作領域の形成位置を移動させることもできる。この場合、ディスプレイ装置３の表示画面上の表示領域もユーザ操作領域の移動に対応して移動する。したがって、ユーザ操作領域と対応する表示領域とがずれることはない。
【手続補正２０】
【補正対象書類名】明細書
【補正対象項目名】００８０
【補正方法】変更
【補正の内容】
【００８０】
そして、ユーザ操作領域ＡｒＢに表示されている情報「○○△○○」を、ユーザ操作領域ＡｒＡにコピーする必要が生じたとする。この場合には、ユーザ操作領域ＡｒＢに、例えばユーザＢが指を接触させてドラック操作を行うことにより、図５（Ｂ）に示すように、ユーザ操作領域ＡｒＢの指示入力面１００Ｓ上の形成位置を変更させる。そして、ユーザ操作領域ＡｒＡの一部に、ユーザ操作領域ＡｒＢの一部を重ね合わせるようにする。
【手続補正２１】
【補正対象書類名】明細書
【補正対象項目名】００８１
【補正方法】変更
【補正の内容】
【００８１】
このように、ユーザによる指示操作によって、ユーザ操作領域ＡｒＡの一部に、ユーザ操作領域ＡｒＢの一部が重ね合わせるようにされた場合に、表示制御装置４は、ユーザ操作領域ＡｒＢからユーザ表示領域ＡｒＡへの情報のコピーが指示されたと判別する。そして、表示制御装置４は、図５（Ｂ）に示すように、ユーザ操作領域ＡｒＢに表示されている情報「○○△○○」を、ユーザＢが指示体によってユーザ操作領域ＡｒＡに移動操作することで、ユーザ操作領域ＡｒＡに対応する表示領域にも表示させる。これにより、ユーザ操作領域ＡｒＢに表示されている情報は、ユーザ操作領域ＡｒＡにコピーされる。
【手続補正２２】
【補正対象書類名】明細書
【補正対象項目名】００９４
【補正方法】変更
【補正の内容】
【００９４】
また、図６に示した例の場合には、ユーザＡによりユーザ操作領域ＡｒＡが形成するようにされ、ユーザＢによりユーザ操作領域ＡｒＢが形成するようにされた場合を示している。そして、このユーザ操作領域についても、どの領域がどのユーザの領域かを明確にするために、ユーザ操作領域ＡｒＡを囲むように表示される枠線とユーザ操作領域ＡｒＢを囲むように表示される枠線とで、表示色や枠線の種類を変えるようにすることもできる。
【手続補正２３】
【補正対象書類名】明細書
【補正対象項目名】００９９
【補正方法】変更
【補正の内容】
【００９９】
図７において、マルチタッチ・マルチユーザ検出装置１は、図２、図３を用いて説明したものと同様に構成されたものである。しかし、図７に示した例の場合には、マルチタッチ・マルチユーザ検出装置１とディスプレイ装置とは別体である。このため、マルチタッチ・マルチユーザ検出装置１のセンサ部１００は透過性を有する必要はない。
【手続補正２４】
【補正対象書類名】明細書
【補正対象項目名】０１００
【補正方法】変更
【補正の内容】
【０１００】
また、図７において、パーソナルコンピュータ４Ａは、図１に示した情報処理装置における表示制御装置４と同様の機能を実現するものである。すなわち、パーソナルコンピュータ４Ａは、マルチタッチ・マルチユーザ検出装置１からの検出出力に応じて、ディスプレイ装置３Ａの表示画面に種々の情報を表示することができるものである。また、図７において、ディスプレイ装置３Ａは、ＬＣＤ、有機ＥＬディスプレイ、ＰＤＰなどの薄型の表示素子やＣＲＴが適用し得る。
【手続補正２５】
【補正対象書類名】明細書
【補正対象項目名】０１０３
【補正方法】変更
【補正の内容】
【０１０３】
また、図７において、ユーザＡが指を指示体として用いて指示した部分を四角形の表示を用いて示したり、ユーザＢが指を指示体として用いて指示した部分を円形の表示を用いて示したりすることもできるようにされる。これらの部分にユーザ毎に異なる色を付すようにすることもできる。また、ユーザＡが設定するようにしたユーザ操作領域ＡｒＡとユーザＢが設定するようにしたユーザ操作領域ＡｒＢとの区別についても、図６を用いて説明した場合と同様に、枠線や背景色を異ならせるようにして、明確に示すようにすることもできる。
【手続補正２６】
【補正対象書類名】明細書
【補正対象項目名】０１０５
【補正方法】変更
【補正の内容】
【０１０５】
［マルチタッチ・マルチユーザ検出装置１の構成の変形例］
マルチタッチ・マルチユーザ検出装置１は、図２、図３を用いて説明したように、受信部３００Ａのユーザ及び位置識別回路３３Ａにおいて、マルチユーザの検出（識別）とマルチタッチの検出（識別）とを行うようにした。しかし、これに限るものではない。例えば、受信導体群１２の各受信導体からの信号に基づいてマルチユーザの検出を行う回路部分を、受信部３００Ａに設けない構成とすることもできる。また、送信導体群１１の各送信導体からの信号に基づいてマルチユーザの検出を行う回路部分を設けるようにすることもできる。
【手続補正２７】
【補正対象書類名】明細書
【補正対象項目名】０１１０
【補正方法】変更
【補正の内容】
【０１１０】
また、マルチユーザの検出を、送信導体群１１を構成する送信導体を通じて行うようにすることもできる。すなわち、マルチユーザの検出は、各ユーザの指示体を通じてセンサ部１００に供給される各ユーザが備える信号発生器２からの信号を検出することにより行うことができる。このため、送信導体群１１を構成する各送信導体に供給される各ユーザの信号発生器２からの信号を検出することにより、マルチユーザの検出を行うことができる。
【手続補正２８】
【補正対象書類名】明細書
【補正対象項目名】０１１８
【補正方法】変更
【補正の内容】
【０１１８】
なお、上述したように、Ｘ軸方向ユーザＩＤ検出部４００は、どの受信導体に対して、どのユーザが指示操作を行っているのかを検出する。これに対して、Ｙ軸方向ユーザＩＤ検出部５００は、どの送信導体に対して、どのユーザが指示操作を行っているのかを検出する。そして、受信部３００では、クロスポイント型静電結合方式により、複数の指示体のそれぞれによる指示入力面１００Ｓ上の指示位置を検出することができる。このため、Ｘ軸方向ユーザＩＤ検出部４００やＹ軸方向ユーザＩＤ検出部５００のマルチユーザの検出結果に加えて、受信部３００のマルチタッチの検出結果を考慮することにより、どのユーザが指示入力面１００Ｓの何処を指示しているのかを特定することができる。
【手続補正２９】
【補正対象書類名】明細書
【補正対象項目名】０１２４
【補正方法】変更
【補正の内容】
【０１２４】
また、図８を用いて説明したように、受信部３００とＸ軸方向ユーザＩＤ検出部４００とを設ける構成とする場合には、さらにＹ軸方向ユーザＩＤ検出部５００をも設けるようにする。逆に、受信部３００とＹ軸方向ユーザＩＤ検出部５００とを設ける構成とする場合には、さらにＸ軸方向ユーザＩＤ検出部４００をも設ける構成とする。このようにすることによって、どの受信導体とどの送信導体に対して、どのユーザが指示操作を行っているのかを検出することができるので、各指示体による各指示位置がどのユーザによるものかを適切に判別することができる。
【手続補正３０】
【補正対象書類名】明細書
【補正対象項目名】０１２５
【補正方法】変更
【補正の内容】
【０１２５】
例えば、図８に示すように、センサ部１００上の受信導体１２Ｘ６と送信導体１１Ｙ６１とが交差するクロスポイントに、ユーザＡが指（指示体）を接触させていたとする。また、センサ部１００上の受信導体１２Ｘ６と送信導体１１Ｙ５とが交差するクロスポイントに、ユーザＢが指（指示体）を接触させていたとする。この場合、受信部３００では、受信導体１２Ｘ６と送信導体１１Ｙ６１とが交差するクロスポイントと、受信導体１２Ｘ６と送信導体１１Ｙ５とが交差するクロスポイントが指示体により指示されていることが検出（識別）される。また、Ｘ軸方向ユーザＩＤ検出部４００により、受信導体１２Ｘ６に対してユーザＡとユーザＢとが指示体を用いて指示していることが検出（識別）される。
【手続補正３１】
【補正対象書類名】明細書
【補正対象項目名】０１２６
【補正方法】変更
【補正の内容】
【０１２６】
しかし、ここまでの識別結果だけでは、受信導体１２Ｘ６と送信導体１１Ｙ６１とが交差するクロスポイントと、受信導体１２Ｘ６と送信導体１１Ｙ５とが交差するクロスポイントのそれぞれは、ユーザＡ、ユーザＢのどちらにより指示されているのかが識別できない。そこで、Ｙ軸方向ユーザＩＤ検出部５００の検出（識別）結果を用いる。この例の場合、Ｙ軸方向ユーザＩＤ検出部５００により、送信導体１１Ｙ６１に対してユーザＡが指示体を用いて指示していることが検出（識別）され、送信導体１１Ｙ５に対してユーザＢが指示体を用いて指示していることが検出（識別）される。
【手続補正３２】
【補正対象書類名】明細書
【補正対象項目名】０１３１
【補正方法】変更
【補正の内容】
【０１３１】
また、図８を用いて説明した受信部３００とＸ軸方向ユーザＩＤ検出部４００とＹ軸方向ユーザＩＤ検出部５００とを設ける構成の場合にも、同様の制御を行うようにすればよい。すなわち、送信部２００を動作させると共にＹ軸方向ユーザＩＤ検出部５００を停止させる期間と、送信部２００を停止させると共にＹ軸方向ユーザＩＤ検出部５００を動作させる期間とを交互に設けるようにすればよい。この場合、送信部２００を動作させる期間では、受信部３００とＸ軸方向ユーザＩＤ検出部４００とについても動作させ、送信部２００を停止させる期間では、受信部３００とＸ軸方向ユーザＩＤ検出部４００とについても停止させる。
【手続補正３３】
【補正対象書類名】明細書
【補正対象項目名】０１３６
【補正方法】変更
【補正の内容】
【０１３６】
これにより、送信部２００を動作させる期間では、受信部３００Ａにおいて、Ｘ軸方向のマルチユーザの検出とマルチタッチの検出とを行うことができる。一方、送信部２００を停止させる期間では、受信部３００Ａにおいて、Ｙ軸方向のマルチユーザの検出を行うことができる。このようにすれば、Ｘ軸方向ユーザＩＤ検出部４００とＹ軸方向ユーザＩＤ検出部５００とを設けることなく、これらを設けた場合と同様の検出結果を、受信部３００Ａによって得ることができるようにされる。
【手続補正３４】
【補正対象書類名】明細書
【補正対象項目名】０１４３
【補正方法】変更
【補正の内容】
【０１４３】
図１０は、信号発生器２の実施態様を説明するための図である。信号発生器２は、ユーザが身に付けることにより、ユーザの身体及び指示体を通じて、マルチタッチ・マルチユーザ検出装置１に対してユーザ毎に異なる周波数の信号を供給するものである。このため、信号発生器２は、図１０に示すように、ユーザの腕に装着される腕輪２ａの構成としたり、ユーザの首に装着されるネックレス２ｂやペンダントの構成としたり、ユーザの指に装着される指輪２ｃの構成としたりすることができる。また、信号発生器２は、図１０に示すように、ユーザの腕に装着される腕時計２ｄの構成としたり、ユーザの顔面部に装着される眼鏡２ｅの構成としたりすることもできる。
【手続補正３５】
【補正対象書類名】明細書
【補正対象項目名】０１４５
【補正方法】変更
【補正の内容】
【０１４５】
［変形例等］
［基本的な構成］
上述した実施の形態においては、図２、図３を用いて説明したように、複数の第１の導体に所定の信号を供給し、複数の第２の導体からの信号を受信し、複数の指示位置と、指示体識別情報とを検出して、どの位置がどの指示体により指示されたかを検出した。この場合、増幅回路３１やＡ／Ｄ変換回路３２を有する受信部３００Ａにおいて、指示体識別情報（ユーザＩＤ）を検出できるようにした。また、複数の第１の導体には周波数の異なる信号を供給すると共に、これらとは異なる周波数の信号を各指示体から供給するようにして、マルチタッチとマルチユーザの検出を可能にした。
【手続補正３６】
【補正対象書類名】明細書
【補正対象項目名】０１６１
【補正方法】変更
【補正の内容】
【０１６１】
［第１、第２の指示体識別情報検出回路の利用］
また、上述したように、受信部３００ＡとＹ軸方向ユーザＩＤ検出部５００とを常時一緒に用いるようにしたり、受信部３００及びＸ軸方向ユーザＩＤ検出部４００とＹ軸方向ユーザＩＤ検出部５００とを常時一緒に用いるようにしたりすることも可能である。また、受信部３００ＡまたはＸ軸方向ユーザＩＤ検出部４００において、複数のユーザが指示体を用いた指示操作を行っていることを検出した場合に、Ｙ軸方向ユーザＩＤ検出部５００を機能させるようにすることもできる。
【手続補正３７】
【補正対象書類名】明細書
【補正対象項目名】０１７０
【補正方法】変更
【補正の内容】
【０１７０】
［その他］
なお、上述した実施の形態においては、ユーザ毎に信号発生器２を設けるものとして説明した。この場合、１人のユーザが自分の複数の指を指示体として用いて同時にセンサ部１００に接触した場合であっても、同じユーザの異なる指によって指示された指示位置は、同じユーザによって指示された指示位置として検出することができる。
【手続補正３８】
【補正対象書類名】明細書
【補正対象項目名】０１７２
【補正方法】変更
【補正の内容】
【０１７２】
１…マルチタッチ・マルチユーザ検出装置、１００…センサ部、１００Ｓ…指示入力面、１１…送信導体群、１１Ｙ１〜１１Ｙ６４…送信導体、１２…受信導体群、１２Ｘ１〜１２Ｘ６４…受信導体、２００…送信部、２１…送信信号供給回路、２２…クロック生成回路、３００…受信部、３１…増幅回路、３２…Ａ／Ｄ変換回路、３３Ａ…ユーザ及び位置識別回路、３３１…ユーザＩＤ識別フィルタ、３３２…指示位置識別フィルタ、３４Ａ…位置検出回路、４０…制御回路、２、２Ａ、２Ｂ…信号発生器、３、３Ａ…ディスプレイ装置（表示装置）、４、４Ａ…表示制御装置、３００…受信部、４００…Ｘ軸方向ユーザＩＤ検出部、５００…Ｙ軸方向ユーザＩＤ検出部